(57)【要約】【課題】複数のコイルの磁束結合を高めつつ、更に小型化を図る。【解決手段】コイルとシートとを積層して作製される積層コモンモードフィルタである。平面内において渦巻状に巻回された一次コイル１及び二次コイル２と、前記一次コイル１と前記二次コイル２との間に介装された非磁性セラミックス層４とを具備する。【選択図】  図１
2005026268.tif 000002
【特許請求の範囲】
【請求項１】
コイルとシートとを積層して作製される積層コモンモードフィルタにおいて、
平面内において渦巻状に巻回された一次コイル及び二次コイルと、
前記一次コイルと前記二次コイルとの間に介装された非磁性セラミックス層とを具備することを特徴とする積層コモンモードフィルタ。
【請求項２】
前記非磁性セラミックス層の中央部分であって、前記一次コイルと前記二次コイルの渦巻の中心付近には、窓が穿設されていることを特徴とする請求項１に記載の積層コモンモードフィルタ。
【発明の詳細な説明】
【０００１】
【発明の属する技術分野】
この発明は、コイルとシートとを積層して作製される積層コモンモードフィルタに関するものである。
【０００２】
【従来の技術】
現在、ＵＳＢ（Ｕｎｉｖｅｒｓａｌ  Ｓｅｒｉａｌ  Ｂｕｓ）やＩＥＥＥ（Ｔｈｅ  Ｉｎｓｔｉｔｕｔｅ  ｏｆ  Ｅｌｅｃｔｒｉｃａｌ  Ｅｌｅｃｔｏｒｏｎｉｃｓ  Ｅｎｇｉｎｅｅｒｓ，  Ｉｎｃ．）１３９４等に使用されているコモンモードフィルタとしては、巻線型が主流である。しかしながら、巻線型のコモンモードフィルタでは、素子の実装面積や高さを更に小型化することは困難となってきており、要求される特性を得るために精密巻線技術が必須である。
【０００３】
積層コモンモードフィルタとしては、１チップ内に２つ以上のコイルを形成する構造が基本的である。そして、従来の積層コモンモードフィルタでは、複数のコイル間にフェライト（磁性体）を介装させる構造が通例である。
【０００４】
【発明が解決しようとする課題】
上記の構成に係る積層コモンモードフィルタでは、例えば図４に示される内部を透視して示す斜視図の如く、一次コイル１００と二次コイル２００は、縦方向に巻線が巻回されている。そして、平面方向から内部を透視して示すと、図５に示すようになる。
【０００５】
図５のＡ−Ａ’線で断面図を作成すると、図６に示すようになり、一次コイル１００と二次コイル２００を構成する導体１０１、２０１は、周囲がフェライトにより覆われており、個々の導体１０１、２０１にマイナーループ３００が発生する。このために、一次コイル１００と二次コイル２００の磁束３１０は、結合が弱い状態となる。
【０００６】
また、Ｕ字状やＶ字状の断面を有する２つの導体を、開口部が噛み合うように配置し、その導体間に非磁性層を形成することにより結合係数の高い積層コモンモードチョークコイルが特許文献１に示されている。
【０００７】
【特許文献１】特開２０００−２３５９１９号公報
【０００８】
本発明はコモンモードフィルタにおいて、複数のコイルの磁束結合を高めつつ、更に小型化を図ることができる積層コモンモードフィルタを提供することである。
【０００９】
【課題を解決するための手段】
本発明に係るコモンモードフィルタは、コイルとシートとを積層して作製される積層コモンモードフィルタにおいて、平面内において渦巻状に巻回された一次コイル及び二次コイルと、前記一次コイルと前記二次コイルとの間に介装された非磁性セラミックス層とを具備することを特徴とする。
【００１０】
本発明に係るコモンモードフィルタは、前記非磁性セラミックス層の中央部分であって、前記一次コイルと前記二次コイルの渦巻の中心付近には、窓が穿設されていることを特徴とする。
【００１１】
【発明の実施の形態】
以下添付図面を参照して、本発明に係るコモンモードフィルタの実施例を説明する。各図において、同一の構成要素には同一の符号を付して重複する説明を省略する。実施例に係るコモンモードフィルタは、図１に示すように、平面内において渦巻状に巻回された一次コイル１と、同じく平面内において渦巻状に巻回された二次コイル２とを備える。
【００１２】
上記一次コイル１と二次コイル２との間には、非磁性セラミックス層３が介装されている。非磁性セラミックス層３は、ほぼ正方形のシートであり、中央部分であって、上記一次コイル１と上記二次コイル２の渦巻の中心付近には、四角の窓４が穿設されている。
【００１３】
二次コイル２の上方には、フェライトシート５が被せられる。フェライトシート５には、二次コイル２の引出線に対応してビアホール５Ａ、５Ａが穿設されており、フェライトシート５の上に載置される端子電極６、６の端部が上記ビアホール５Ａ、５Ａを介して接続されるように構成されている。
【００１４】
また、一次コイル１の下方には、フェライトシート７が設けられ、一次コイル１がフェライトシート７上に載置される。フェライトシート７には、一次コイル１の引出線に対応してビアホール７Ａ、７Ａが穿設されており、フェライトシート７の下方に設けられる端子電極９、９の端部が上記ビアホール７Ａ、７Ａを介して接続されるように構成されている。
【００１５】
端子電極６、６の上方には、複数枚のフェライトシート１０が載置され、また端子電極９、９は下方に設けられる複数枚のフェライトシート１１の上に載置されている。
【００１６】
上記のように構成されている結果、本実施例の積層コモンモードフィルタは、複数枚のフェライトシート１１の上に端子電極９、９が載置され、その上に端子電極９、９と一次コイル１とを絶縁するフェライトシート７が設けられ、このフェライトシート７の上に一次コイル１が載置される。
【００１７】
一次コイル１の上方には、非磁性セラミックス層３を介して二次コイル２が設けられ、上記二次コイル２の上方には、フェライトシート５を介して端子電極６、６が設けられ、この端子電極６、６の上方には、複数枚のフェライトシート１０が載置されている。
【００１８】
端子電極６、６の端部は、フェライトシート５と複数枚のフェライトシート１０の端縁まで延びており、外部と電気的接続が可能となっている。また、端子電極９、９の端部は、フェライトシート７と複数枚のフェライトシート１１の端縁まで延びており、外部と電気的接続が可能となっている。
【００１９】
以上のように構成された積層コモンモードフィルタは、内部を透視して示した平面図は図２の如くなり、二次コイル２（一次コイル１も同様に）が平面内において渦巻状に巻回されている。そして、図２のＩ−Ｉ’線による断面図である図３に示すように、一次コイル１と二次コイル２における個々の導体が、非磁性セラミックス層３と隣接し、マイナーループの発生が抑制される。そして、一次コイル１と二次コイル２の磁束２０は図３に示すように結合が高まり、コモンモードフィルタとして好適な特性を示す。
【００２０】
また、二次コイル２（一次コイル１も同様に）が平面内において渦巻状に巻回された構成であるため、縦方向にコイルを巻回して、例えば一周毎にフェライトシートを介装させる構造に比べて、各コイルを一度の巻線印刷工程にて作製することができ製造を容易とする効果を有する。また、絶縁のばらつきや巻線印刷位置のばらつきを押さえることができ、短絡が少なく特性がより一定である積層コモンモードフィルタを提供することができる。
【００２１】
なお、以上の構成では、１個の素子内に１組の一次コイル１と二次コイル２によるフィルタを設けることを示したが、１個の素子内に図１に示した構成を複数組積層して、１素子に複数のコモンモードフィルタを組み込むようにすることも可能である。
【００２２】
【発明の効果】
以上説明したように本発明によれば、コイルとシートとを積層して作製される積層コモンモードフィルタにおいて、平面内において渦巻状に巻回された一次コイル及び二次コイルを備え、前記一次コイルと前記二次コイルとの間に非磁性セラミックス層を介装したので、マイナーループの発生が抑制され、一次コイル１と二次コイルの磁束結合が高まり、好適なコモンモードフィルタを得ることができる。また、二次コイルと一次コイルが平面内において渦巻状に巻回された構成であるため、縦方向にコイルを巻回して、例えば一周毎にフェライトシートを介装させる構造に比べて、各コイルを一度の巻線印刷工程にて作製することができ製造を容易とする効果を有する。
【図面の簡単な説明】
【図１】本発明の実施例に係る積層コモンモードフィルタの組立斜視図。
【図２】本発明の実施例に係る積層コモンモードフィルタの平面図。
【図３】図２の積層コモンモードフィルタにおけるＩ−Ｉ’断面図。
【図４】従来例に係る積層コモンモードフィルタの斜視図。
【図５】従来例に係る積層コモンモードフィルタの平面図。
【図６】図５の積層コモンモードフィルタにおけるＡ−Ａ’断面図。
【符号の説明】
１  一次コイル
２  二次コイル
３  非磁性セラミックス層
４  窓
５  フェライトシート
５Ａ  ビアホール
６  端子電極
７  フェライトシート
７Ａ  ビアホール
１０、１１  フェライトシート
【図１】
2005026268.tif 000003
【図２】
2005026268.tif 000004
【図３】
2005026268.tif 000005
【図４】
2005026268.tif 000006
【図５】
2005026268.tif 000007
【図６】
2005026268.tif 000008